(57)【特許請求の範囲】
【請求項１】
予め設定されたアルゴリズムに従って冷蔵／冷凍機能に関連する構成部分を制御するための冷蔵庫の制御部と、
ユーザの復旧命令を入力するための復旧スイッチと、
前記冷蔵庫の制御部を制御し、前記復旧スイッチの入力信号に従って初期設定状態に復旧させる主制御部と、
を含んで構成される冷蔵庫であって、
前記主制御部は、少なくともオペレーティングシステムプログラムと冷蔵庫に関連するアプリケーションプログラムとを含むプログラムが格納されている第１の記憶装置と、
前記第１の記憶装置に電気的に接続され、前記第１の記憶装置に格納されたデータが損傷を受けたときに前記第１の記憶装置を復旧するための、オペレーションシステム及び冷蔵庫の製造会社から提供される冷蔵庫に関連するアプリケーションプログラムをインストールするためのプログラムとシステム初期化プログラムを含む復旧プログラムが格納されている第２の記憶装置と、
前記第１、第２の記憶装置及び前記復旧スイッチに電気的に接続され、前記復旧スイッチを介して入力される復旧命令の入力の有無に従う基本入出力ソフトウェア(BIOS)が格納されている第３の記憶装置と、
前記第１、第２、及び第３の記憶装置に電気的に接続され、前記第１、第２、及び第３の記憶装置に格納されたプログラムによって制御動作を行うための中央処理装置（ＣＰＵ）と、を含んで構成されることを特徴とする冷蔵庫。
【請求項２】
前記第３の記憶装置はＲＯＭであることを特徴とする請求項１に記載の冷蔵庫。
【請求項３】
前記主制御部を該主制御部とインターネットとの間のデータ通信を介してインターネットに接続して前記第２の記憶装置に格納されたプログラムをアップグレードするためのインターネット接続部をさらに含んで構成されることを特徴とする請求項１に記載の冷蔵庫。
【請求項４】
少くともオペレーティングシステムプログラム及びアプリケーションプログラムを含むプログラムが格納されている第１記憶装置、前記第１記憶装置に電気的に接続され、前記第１記憶装置を復旧するためのプログラムを含む復旧プログラムが格納されている第２記憶装置、及び前記第１、第２記憶装置に電気的に接続され、入出力ソフトウェア(ＢＩＯＳ)が格納されている第３記憶装置を備えた冷蔵庫の制御方法であって、
ユーザが復旧スイッチを介して復旧命令を入力するとシステムを初期化し、初期化シーケンスを前記第２記憶装置へ転送する段階と、
前記第２記憶装置に予め格納されている復旧プログラムを実行して前記第２記憶装置のプログラムを前記第１記憶装置にインストールする段階であって、該第２記憶装置のプログラムを前記第１記憶装置にインストールする段階は、
前記第２記憶装置に予め格納されたシステム初期化プログラムにより前記システムを初期化する段階と、前記第２記憶装置の復旧プログラムで前記オペレーティングシステムプログラム及びアプリケーションプログラムを前記第１記憶装置に再インストールする段階と、を含む段階である前記第２記憶装置のプログラムを前記第１記憶装置にインストールする段階と、
前記第１記憶装置にプログラムが完全にインストールされると前記システムをリセットする段階と、を含んで構成されることを特徴とする冷蔵庫の制御方法。
【請求項５】
前記初期化シーケンスを前記第２記憶装置へ転送する段階は、全体システムを初期化した後、前記復旧スイッチを介して入力される復旧命令に従う前記第３記憶装置の前記入出力ソフトウェア（ＢＩＯＳ）によって前記初期化シーケンスを前記第２記憶装置へ転送する段階であることを特徴とする請求項４に記載の冷蔵庫の制御方法。
【請求項６】
前記復旧スイッチは前記主制御部の外部の所定部分に取り付けられることを特徴とする請求項１に記載の冷蔵庫。
【発明の詳細な説明】
【０００１】
【発明の属する技術分野】
本発明は、冷蔵庫に関するもので、特に、冷蔵庫の主制御部のデータエラーの発生時、簡単なスイッチの操作によりこれを復旧できるようにした冷蔵庫及びその制御方法に関する。
【０００２】
【従来の技術】
一般に、冷蔵庫は食品を新鮮に長期間保管する用途で用いられる機器として、食品を冷凍保管するための冷凍室と、食品を冷蔵保管するための冷蔵室と、冷凍室及び冷蔵室を冷却させるための冷凍サイクルとからなる。
【０００３】
このような冷蔵庫は厨房空間において最も基本的で、広く用いられているものであって、消費の増大及び西欧風の生活習慣の変化によって次第に大型化されつつある傾向にある。
また、昔とは異なり厨房空間は単なる食生活のための空間だけではなく、家族構成員の生活空間として変わりつつあるので、厨房の主な構成要素の冷蔵庫の大型化と共に家族構成員のみんなが容易に使用できるように量的／質的及び機能的な変化が要求されてきている。
また、最近情報通信技術の急速な発達に従って、電子製品のマルチメディア化が急速に進められている。このため今後の家電製品は単機能だけではなく、複数の家電製品に繋がり、複合機能を発揮する多機能製品が出るはずである。
【０００４】
最近、既存の冷蔵庫の機能と共に冷蔵庫とコンピュータとを結合して、冷蔵庫ドアに液晶画面を取り付け、テレビを視聴できることは勿論、ウェブサイトとつないでインターネットを楽しめるような冷蔵庫の開発が盛んである。
かかる冷蔵庫は液晶画面と近距離通信網（ＬＡＮ）の接続装置を取り付けることによってインターネットと双方向画像電話の機能を備えている。
【０００５】
高速処理能力のマイクロプロセッサと大容量のハードディスクを内蔵しているこのような冷蔵庫は、ドアに装着されたモニタのタッチスクリーンを押すか装着されたマイクロフォンを介した音声命令により作動する。
液晶画面の情報窓を介して冷蔵庫の現在温度と保管された食品状態、栄養情報、料理情報などを把握でき、画面の上段にはカメラが取り付けられて動映像とメッセージを録画／再生すると共にＭＰ３音楽ファイルなどのようなデータもダウンロードすることが出来る。
かかる冷蔵庫を電話、エアコン、テレビのような他の家電製品に連結する場合、ホームオトメーションの総司令塔として活用できる。
【０００６】
以下、添付の図面を参照して従来技術による冷蔵庫の構成を説明する。
図１は、従来技術による冷蔵庫の構成を示すブロック図であり、図２は図１に示す主制御部の構成を示すブロック図である。
【０００７】
従来技術による冷蔵庫は図１に示すように、冷蔵庫自体の機能および構成要素などを制御する冷蔵庫制御部１１と、所定のキー信号（key signal）を入力するためのキー入力部１５と、冷蔵庫の外面の所定部分に取り付けられて映像を表示するためのディスプレイ部１６と、入力されるキー信号に応じた冷蔵庫の動作が行われるように冷蔵庫の制御部１１を制御し構成要素などを総括的に制御する主制御部１３と、インターネットを介して遠隔地の端末機と通信するためのインターネット接続部１４と、主制御部１３と冷蔵庫制御部１１のデータ通信を制御する通信用制御部１２とからなる。
【０００８】
上記主制御部１３は図２に示すように、主制御部に電源が入る時、基本的な入出力ソフトウェアが格納されているＲＯＭ(Ｒead Ｏnly Ｍemory)２１と、システム初期化データ（system booting data ）及びオペレーティングシステムなどの基本的なデータと各種の冷蔵庫に関連するアプリケーションプログラム及びマニュアル情報と該当映像情報などを格納するための記憶装置２２と、制御機能と演算機能と記憶機能などを担当する中央処理装置(Ｃentral Ｐrocessing Ｕnit：ＣＰＵ)２３とからなる。
【０００９】
しかしながら、以上説明した従来技術による冷蔵庫は次のような問題があった。
主制御部の記憶装置に格納されているデータが損傷した場合、損傷したデータを復旧させるためには主制御部を外部へ連結して復旧データの伝送を受けることで解決するしかなかった。
従って、家庭内に外部へ連結する装置を設置し、また復旧データのない場合、別のアフターサービスを受けなければならないという不具合があった。
【００１０】
【発明が解決しようとする課題】
従って、本発明は、上記のような問題点を解決するためのもので、主制御部の記憶装置のデータが損傷した場合、簡単なスイッチの操作によって家庭で容易に復旧できる冷蔵庫及びその制御方法を提供することにその目的がある。
【００１１】
【課題を解決するための手段】
上記目的を達成するための本発明による冷蔵庫は、予め設定されたアルゴリズムによって冷蔵／冷凍機能に関連する構成部分を制御するための冷蔵庫の制御部と、ユーザの動作命令に応ずるように冷蔵庫の制御部または冷蔵／冷凍機能以外の付加機能に関連する構成部分を制御し、データエラーの発生時ユーザの要求に応じて初期の設定状態に復旧させるための主制御部と、この主制御部の異常発生の時、ユーザの要求に応じて復旧命令を入力するため上記主制御部の外部の所定部分に取り付けられる復旧スイッチとを含んで構成されることを特徴とする。
【００１２】
かつ、上記目的を達成するための本発明による冷蔵庫の制御方法は、オペレーティングシステム及びアプリケーションプログラムが格納されている第１記憶装置、復旧プログラム及びシステム初期化プログラムが格納されている第２記憶装置、復旧命令を入力するための復旧スイッチ、及び入出力ソフトウェア(バイオス：ＢＩＯＳ)が格納されている格納部（ＲＯＭ）を備えた冷蔵庫の制御方法であって、ユーザが上記復旧スイッチを介して復旧命令を入力すると、システムを初期化した後、初期化シーケンスを上記第２記憶装置へ転送する段階と、上記第２記憶装置に既に格納されている復旧プログラムを実行して上記第２記憶装置のプログラムを前記の第１記憶装置にインストールする段階と、上記第１記憶装置においてプログラムのインストールが完了するとシステムをリセットする段階とを含んでなることを特徴とする。
【００１３】
【発明の実施の形態】
以下、添付の図面を参照して本発明による冷蔵庫及びその制御方法の望ましい実施形態に対して説明する。
【００１４】
図３は、本発明による冷蔵庫を示す正面図であり、図４は本発明による冷蔵庫の主制御部の構成を示すブロック図であり、図５は本発明による冷蔵庫の制御方法を示すフローチャートである。
【００１５】
本発明による冷蔵庫は図３に示すように、ユーザの要求事項を入力し、ユーザの要求命令に対応する画面をディスプレイに表示するためのキー入力部／ディスプレイ部５０と、キー入力部５０を介して入力されるユーザの要求命令に応ずるように冷蔵／冷凍機能以外の付加機能に関する部分を制御し、データエラー発生のとき、ユーザの要求に従って初期の設定状態に復旧させるための主制御部４０と、この主制御部４０のデータエラーの発生時に、ユーザの要求に従う復旧命令を入力するために主制御部４０の外部の所定部分に取り付けられる復旧スイッチ４１とから構成される。
ここで、ディスプレイ部５０は液晶表示装置（ＬＣＤ）を用い、キー入力部５０にはタッチパネルを用いる。
【００１６】
主制御部４０は、図４に示すように、復旧スイッチ４１を介して入力される復旧命令の入力の有無に従う基本入出力ソフトウェア（ＢＩＯＳ）を格納する格納部（ＲＯＭ）４２と、少なくともオペレーティングシステムと冷蔵庫に関連するアプリケーションプログラムが格納されている記憶装置４３と、この記憶装置４３に格納されたプログラムによってユーザの動作命令に応じた制御動作を行うための中央処理装置（ＣＰＵ）４４とからなる。
その他にビデオカード、サウンドカードなどのマルチメディア機能や各種機能を担当する多様なハードウェアなどが含まれる。
【００１７】
記憶装置４３は、システム初期化プログラム（system booting program）、上記の主制御部を管理するためのオペレーティングシステム及び冷蔵庫の製造会社から提供される冷蔵庫に関するアプリケーションプログラムなどを格納するための第１記憶装置４３ａと、システム初期化プログラムと、復旧プログラムを格納するための第２記憶装置４３ｂとからなる。
【００１８】
ここで、第１記憶装置４３ａは従来の主制御部の記憶装置の役割を果たす。
即ち、主制御部４０に電源が入れば、ＲＯＭ４２及び第１記憶装置４３ａによってシステムが初期化され、第１記憶装置４３ａに既に格納されているオペレーティングシステムと各種の製品関連のアプリケーションプログラムなどが実行される。
【００１９】
また、第２記憶装置４３ｂには、第１記憶装置４３ａに既に格納されているデータが損傷した場合、第１記憶装置４３ａを復旧するデータ即ち、主制御部を初期化できるシステム初期化データをはじめとする復旧プログラムが格納されている。
ここで、システム初期化データには、COMMAND.COM、IO.SYS、MSDOS.SYSのようなファイルなどが含まれ、復旧プログラムとしてはオペレーティングシステムのインストールプログラムと冷蔵庫に関連するアプリケーションプログラムなどをインストールするプログラムなどがある。
また、インターネットを介して記憶装置のデータをアップグレードするためのインターネット接続部（図示省略）を更に含めて構成される。
【００２０】
次に、このように構成された本発明による冷蔵庫の制御方法を図５を参照して説明する。
図５を参照すると、まず復旧命令が復旧スイッチに入力されたか否かを判断する（Ｓ５１）。この復旧命令はユーザが主制御部の取り付けられた冷蔵庫を使用しているうちに、冷蔵庫ドアーの所定部分に取り付けられた液晶表示装置（ＬＣＤ）を見て、主制御部が正常に動作しないこと、または第１記憶装置のシステム初期化データまたはオペレーティングシステムデータなどが損傷して主制御部が初期化されないこと、または冷蔵庫に関連するアプリケーションプログラムが実行されないことを見つけたときユーザによって入力される。
【００２１】
また、前記の判断の結果（Ｓ５１）、前記の復旧命令が復旧スイッチに入力されると、システムをリセットした後、主制御部内のＲＯＭは第２記憶装置にあらかじめ格納されているシステム初期化データを介して主制御部を初期化する（Ｓ５２）。
それから、ＲＯＭにより第２記憶装置にあらかじめ格納されている復旧プログラムが実行される（Ｓ５３）。
【００２２】
上記第２記憶装置にあらかじめ格納された復旧プログラムが実行されると、上記第２記憶装置にあらかじめ格納されているシステム初期化データ、オペレーティングシステム及び製品関連の各種のアプリケーションプログラムなどが前記の第１記憶装置にインストールされる（Ｓ５４）。
次に前記の第２記憶装置のプログラムが上記の第１記憶装置に完全にインストールされているか否かを判断する（Ｓ５５）。
【００２３】
上記の判断の結果（Ｓ５５）、上記の第１記憶装置に上記の第２記憶装置のプログラムのインストールが完了すれば、システムを初期化させる（Ｓ５６）。
復旧プログラムにはオペレーションシステムのインストールファイル及び冷蔵庫に関する各種のアプリケーションプログラムのインストールのためのファイルがある。
また、本発明による冷蔵庫の主制御部はインターネット接続部を介してインターネットに接続が可能であるので、周期的にインターネットにアクセスして第２記憶装置にあらかじめ格納されたオペレーティングシステム及び製品関連の各種アプリケーションプログラムをダウンドロードしてソフトウェアに関して主制御部をアップグレ−ドさせることができる。
【００２４】
【発明の効果】
以上で説明したような、本発明による冷蔵庫及びその制御方法は冷蔵庫の主制御部のデータが損傷された場合、データを復旧するために主制御部を外部へ接続することなく、簡単なスイッチ操作によって主制御部の記憶装置の損傷されたデータを容易に復旧することができる。
【図面の簡単な説明】
【図１】従来の冷蔵庫の構成を示すブロック図である。
【図２】従来の主制御部の構成を示すブロック図である。
【図３】本発明による冷蔵庫を示す正面図である。
【図４】本発明による主制御部の構成を示すブロック図である。
【図５】本発明による冷蔵庫の制御方法のフローチャートを示す図である。
【符号の説明】
４０…主制御部
４１…復旧スイッチ
４２…ＲＯＭ
４３…記憶装置
４３ａ…第１記憶装置
４３ｂ…第２記憶装置
４４…中央処理装置（ＣＰＵ）
５０…キー操作部／ディスプレイ部
【図１】
0003771455.tif 000002
【図２】
0003771455.tif 000003
【図３】
0003771455.tif 000004
【図４】
0003771455.tif 000005
【図５】
0003771455.tif 000006